(57)【要約】【課題】  嵌め殺し窓のガラスの外側表面を効率よく清掃できる簡便な構造の清掃装置を提供する。【解決手段】  ガラスの室外側を窓の上枠（２２）と下枠（２３）に沿って移動可能なよう保持されたスライドポール（１１）と; 当該スライドポールに取り付けられたワイパーブレード（１４）と; スライドポール（１１）を垂直状態に保つため、窓の上枠（２２）の一端近くの固定位置（１５ａ，１６ａ）からスライドポール（１１）内を通過して、下枠（２３）の他端近くの固定位置（１５ｂ，１６ｂ）まで、張り詰めた状態で張架された非伸縮性の垂直保持用第１及び第２ワイヤ（１５，１６）と; スライドポール（１１）を左右に引き動かす牽引ワイヤ（１７）と、上記牽引ワイヤ（１７）をその軸方向に引き動かす駆動機構（１８ａ〜１８ｂ）と; から構成される。スライドポール（１１）を上下に引き動かすように構成してもよい。【選択図】  図１
2006102331.tif 000002
【特許請求の範囲】
【請求項１】
開閉不可能な窓枠にガラスを固定して成る嵌め殺し窓の清掃装置であって、
ガラス（２１）の丈と略等しい長さを有し、上端及び下端に設けたガイド部材（１２，１３）により、ガラスの室外側を窓の上枠（２２）と下枠（２３）に沿って左右に移動可能なよう保持されたスライドポール（１１）と、
当該スライドポールの略全長にわたって延びるよう取り付けられ、ガラスの表面を払拭するワイパーブレード（１４）と、
スライドポール（１１）を垂直状態に保つため、窓の上枠（２２）の室内側から見て左端近くの固定位置（１５ａ）からスライドポールの位置まで上枠に沿って延び、９０度方向転換してスライドポール内を通過し、更に９０度方向転換して下枠（２３）の右端近くの固定位置（１５ｂ）まで下枠に沿って延びるよう、張り詰めた状態で張架された非伸縮性の垂直保持用第１ワイヤ（１５）と、
スライドポール（１１）を垂直状態に保つため、窓の上枠（２２）の右端近くの固定位置（１６ａ）からスライドポールの位置まで上枠に沿って延び、９０度方向転換してスライドポール内を通過し、更に９０度方向転換して下枠（２３）の左端近くの固定位置（１６ｂ）まで下枠に沿って延びるよう、張り詰めた状態で張架された非伸縮性の垂直保持用第２ワイヤ（１６）と、
スライドポール（１１）の下端及び／又は上端近くを左右に引き動かす牽引ワイヤ（１７）と、
上記牽引ワイヤ（１７）をその軸方向に引き動かす駆動機構（１８ａ〜１８ｄ）と、
から構成されたことを特徴とするワイヤ駆動式嵌め殺し窓清掃装置。
【請求項２】
開閉不可能な窓枠にガラスを固定して成る嵌め殺し窓の清掃装置であって、
ガラス（２１０）の横幅と略等しい長さを有し、左端及び右端に設けたガイド部材（１２０，１３０）により、ガラスの室外側を窓の左右の縦枠（２４０，２５０）に沿って上下に移動可能なよう保持されたスライドポール（１１０）と、
当該スライドポールの略全長にわたって延びるよう取り付けられ、ガラスの表面を払拭するワイパーブレード（１４０）と、
スライドポール（１１０）を水平状態に保つため、室内側から見て窓の左縦枠（２４０）の下端近くの固定位置（１５０ａ）からスライドポールの位置まで左縦枠に沿って延び、９０度方向転換してスライドポール内を通過し、更に９０度方向転換して右縦枠（２５０）の上端近くの固定位置（１５０ｂ）まで右縦枠に沿って延びるよう、張り詰めた状態で張架された非伸縮性の水平保持用第１ワイヤ（１５０）と、
スライドポール（１１０）を水平状態に保つため、窓の左縦枠（２４０）の上端近くの固定位置（１６０ａ）からスライドポールの位置まで左縦枠に沿って延び、９０度方向転換してスライドポール内を通過し、更に９０度方向転換して右縦枠（２５０）の下端近くの固定位置（１６０ｂ）まで右縦枠に沿って延びるよう、張り詰めた状態で張架された非伸縮性の水平保持用第２ワイヤ（１６０）と、
スライドポール（１１０）の左端及び／又は右端近くを上下に引き動かす牽引ワイヤ（１７０）と、
上記牽引ワイヤ（１７０）をその軸方向に引き動かす駆動機構（１８０ａ〜１８０ｄ）と、
から構成されたことを特徴とするワイヤ駆動式嵌め殺し窓清掃装置。
【請求項３】
上記駆動機構（１８ａ〜１８ｄ，１８０ａ〜１８０ｄ）が手動式である請求項１又は２に記載のワイヤ駆動式嵌め殺し窓清掃装置。
【請求項４】
上記駆動機構が電動式である請求項１又は２に記載のワイヤ駆動式嵌め殺し窓清掃装置。
【請求項５】
上枠（２２，２２０）に沿って、ガラス外面へ洗浄水を放出する散水パイプ（２２ａ，２２０ａ）を設けた請求項１ないし４のうちいずれか一項に記載のワイヤ駆動式嵌め殺し窓清掃装置。
【請求項６】
上記散水パイプ（２２ａ，２２０ａ）へ手動弁（３１，３１０）を介して水道水を供給する請求項５に記載のワイヤ駆動式嵌め殺し窓清掃装置。
【請求項７】
上記散水パイプ（２２ａ，２２０ａ）へ手動又は電動ポンプにより洗浄水を供給する手段（２５ａ，２５０ａ）を設けた請求項５に記載のワイヤ駆動式嵌め殺し窓清掃装置。
【請求項８】
上記ワイパーブレード（１４，１４０）がガラス面（２１，２１０）に対して所定の圧力で当接するよう、ワイパーブレードをスライドポール（１１，１１０）に対してスプリング付勢（１４ｂ）して取り付けたことを特徴とする請求項１から７までのいずれか一項に記載のワイヤ駆動式嵌め殺し窓清掃装置。
【発明の詳細な説明】
【技術分野】
【０００１】
本発明は、ワイヤ駆動式嵌め殺し窓清掃装置に関し、より具体的には、嵌め殺し窓のガラスの外面を比較的簡便な手段で効率よく清掃することのできるワイヤ駆動式の清掃装置に関するものである。
【背景技術】
【０００２】
ビルの窓ガラスの外面を自動的に洗浄する装置は、これまでにも多く提案されており、それらの例として例えば下記特許文献１〜４に記載のものを挙げることができる。
【０００３】
【特許文献１】特表２００３−５１６７９２号公報（特願２００１−５４４５５９）
【特許文献２】特願２００４−０８２４２５
【特許文献３】特願２００４−１３６９５１
【特許文献４】特願２００４−１９６９４０
【０００４】
これらの装置は、ビルの外壁面に沿って移動可能な台車機構に設けたワイパーユニットのワイパーブレードでガラスの表面を拭き清めるようになっており、その台車機構を移動させるためにモーター等を使用し、また、台車機構を支持するためのガイドレール等も設けるため、一般的に大型で高価なものであった。
そのため、多数のガラスを無目（横向きの桟）もしくは方立（縦向きの桟）により並べて配置したガラス壁のようなものの清掃には適しているが、開閉不可能な窓枠に１枚のガラスを固定し、多くの場合、窓と窓の間に壁面が存在するような、いわゆる嵌め殺し窓を個別に清掃するには適していなかった。
地上から手の届かない２階もしくはそれより上層階の嵌め殺し窓の清掃はきわめて困難であり、そのため現在でも専門の作業員に依頼することが多かった。
【発明の開示】
【発明が解決しようとする課題】
【０００５】
本発明は、上記の問題点を解決するためなされたものであり、その目的とするところは、嵌め殺し窓ごとに個別に備えられ、ガラスの外側表面を効率よく清掃でき、簡便な構造で、製造及び設置コストも安くで済み、専門業者に清掃を依頼する必要性も解消するワイヤ駆動式嵌め殺し窓清掃装置を提供することにある。
【課題を解決するための手段】
【０００６】
上記の目的は、
開閉不可能な窓枠にガラスを固定して成る嵌め殺し窓の清掃装置であって、
ガラスの丈と略等しい長さを有し、上端及び下端に設けたガイド部材により、ガラスの室外側を窓の上枠と下枠に沿って左右に移動可能なよう保持されたスライドポールと、
当該スライドポールの略全長にわたって延びるよう取り付けられ、ガラスの表面を払拭するワイパーブレードと、
スライドポールを垂直状態に保つため、窓の上枠の室内側から見て左端近くの固定位置からスライドポールの位置まで上枠に沿って延び、９０度方向転換してスライドポール内を通過し、更に９０度方向転換して下枠の右端近くの固定位置まで下枠に沿って延びるよう、張り詰めた状態で張架された非伸縮性の垂直保持用第１ワイヤと、
スライドポールを垂直状態に保つため、窓の上枠の右端近くの固定位置からスライドポールの位置まで上枠に沿って延び、９０度方向転換してスライドポール内を通過し、更に９０度方向転換して下枠の左端近くの固定位置まで下枠に沿って延びるよう、張り詰めた状態で張架された非伸縮性の垂直保持用第２ワイヤと、
スライドポールの下端及び／又は上端近くを左右に引き動かす牽引ワイヤと、
上記牽引ワイヤをその軸方向に引き動かす駆動機構と、
から構成されたことを特徴とするワイヤ駆動式嵌め殺し窓清掃装置によって達成できる。
更にまた、上記の目的は、
開閉不可能な窓枠にガラスを固定して成る嵌め殺し窓の清掃装置であって、
ガラスの横幅と略等しい長さを有し、左端及び右端に設けたガイド部材により、ガラスの室外側を窓の左右の縦枠に沿って上下に移動可能なよう保持されたスライドポールと、
当該スライドポールの略全長にわたって延びるよう取り付けられ、ガラスの表面を払拭するワイパーブレードと、
スライドポールを水平状態に保つため、室内側から見て窓の左縦枠の下端近くの固定位置からスライドポールの位置まで左縦枠に沿って延び、９０度方向転換してスライドポール内を通過し、更に９０度方向転換して右縦枠の上端近くの固定位置まで右縦枠に沿って延びるよう、張り詰めた状態で張架された非伸縮性の水平保持用第１ワイヤと、
スライドポールを水平状態に保つため、窓の左縦枠の上端近くの固定位置からスライドポールの位置まで左縦枠に沿って延び、９０度方向転換してスライドポール内を通過し、更に９０度方向転換して右縦枠の下端近くの固定位置まで右縦枠に沿って延びるよう、張り詰めた状態で張架された非伸縮性の水平保持用第２ワイヤと、
スライドポールの左端及び／又は右端近くを上下に引き動かす牽引ワイヤと、
上記牽引ワイヤをその軸方向に引き動かす駆動機構と、
から構成されたことを特徴とするワイヤ駆動式嵌め殺し窓清掃装置によっても達成できる。
【０００７】
上記駆動機構は、手動式であっても、電動式であってもよい。
また、上枠に沿って、ガラス外面へ洗浄水を放出する散水パイプを設けることが望ましく、当該散水パイプへは、手動弁を介して水道水を供給するようにしたり、或いはまた、水等の洗浄水を手動又は電動ポンプにより供給する手段を設けるようにしてもよい。
また、上記ワイパーブレードがガラス面に対して所定の圧力で当接するよう、ワイパーブレードを上記スライドポールに対してスプリング付勢して取り付けることも推奨される。
【発明の効果】
【０００８】
上記の如き構成であると、嵌め殺し窓のガラスの清掃が必要なときには、上記駆動機構を作動させ、ガラスの外面に沿ってスライドポールを左右又は上下方向に移動させるだけで、ポールに取り付けられたワイパーブレードがガラスの表面を全面的に払拭し、清掃が行われるものであるから、簡単な操作で効率よく清掃作業が完了し、専門業者に清掃を依頼する必要性も解消するものである。また、簡便な構造で、大型の装置を必要としないため、不使用時にはスライドポールをガラスの片側に寄せておくことにより窓の外観を損なうことがなく、価格的にも安くで提供できるため、各窓ごとに設けることが可能となる。
【発明を実施するための最良の形態】
【０００９】
以下、図面に示す実施例を参照しつつ、本発明を実施するための最良の形態について説明する。
【実施例】
【００１０】
図１は、本発明に係るワイヤ駆動式嵌め殺し窓清掃装置の一実施例を室内側から見た状態で示す正面図とその上面図、図２は、図１中のII−II線に沿った中間省略縦断面図、図３は、図１中のIII −III 線に沿った横断面図、図４は、本発明に係るワイヤ駆動式嵌め殺し窓清掃装置のもう一つの実施例を室内側から見た状態で示す正面図とその右側面図である。
【００１１】
図１〜図３中、１１は窓ガラスの外側で左右方向に移動可能なスライドポール、１２及び１３は、スライドポール１１の上端及び下端に取り付けられたガイド部材、１４はワイパーブレード、１４ａはワイパーホルダ、１４ｂは押出しスプリング、１５及び１６はスライドポールの垂直保持用第１及び第２ワイヤ、１７はスライドポールを左右に引き動かす牽引ワイヤ、１８ａはハンドル、１８ｂ〜１８ｄは牽引ワイヤ１７が巻き掛けられたプーリ、２１は清掃すべき嵌め殺し窓のガラス、２２は嵌め殺し窓の上枠、２２ａは上枠２２に設けられた散水パイプ、２３は下枠、２４及び２５は縦枠、２５ａは手動又は電動ポンプに接続される給水口、３１は手動弁、３２は水道管である。
【００１２】
図示する如く、スライドポール１１は、ガラス２１の丈（たけ）と略等しい長さを有し、その上端及び下端にはガイド部材１２，１３がそれぞれ設けられ、ガイド部材１２は窓の上枠２２に沿って左右に摺動可能なように保持され、ガイド部材１３は下枠２３に沿って左右に摺動可能なように保持されている。
【００１３】
この実施例においては、垂直保持用第１ワイヤ１５及び第２ワイヤ１６を用いて、スライドポール１１が垂直状態を保ちつつ左右に円滑に移動し得るよう構成されている。
即ち、非伸縮性の垂直保持用第１ワイヤ１５は、窓の上枠２２の室内側から見て左端近くの固定位置１５ａからスライドポール１１の位置まで上枠２２内を上枠に沿って延び、スライドポール１１の上端のガイド部材１２に取り付けたプーリ（図では省略）に巻き掛けられて下方へ向けて９０度方向転換してスライドポール内を通過し、更に、スライドポール１１の下端のガイド部材１３に取り付けたプーリ（図では省略）に巻き掛けられて右方向へ向けて９０度方向転換して下枠２３の右端近くの固定位置１５ｂまで下枠２３内を下枠に沿って延びるよう、緩みなく張り詰めた状態で張架されている。
同様に、非伸縮性の垂直保持用第２ワイヤ１６は、窓の上枠２２の室内側から見て右端近くの固定位置１６ａからスライドポール１１の位置まで上枠２２内を上枠に沿って延び、スライドポール１１の上端のガイド部材１２に取り付けたもう一つのプーリ（図では省略）に巻き掛けられて下方へ向けて９０度方向転換してスライドポール内を通過し、更に、スライドポール１１の下端のガイド部材１３に取り付けたもう一つのプーリ（図では省略）に巻き掛けられて左方向へ向けて９０度方向転換して下枠２３の左端近くの固定位置１６ｂまで下枠２３内を下枠に沿って延びるよう、緩みなく張り詰めた状態で張架されている。
【００１４】
そこで例えば、図１中において、スライドポール１１の上端が右側へ向けて傾くと仮定すると、スライドポール１１内の垂直保持用第１ワイヤ１５もスライドポールと共に傾くことになり、第１ワイヤ１５は上側の固定位置１５ａと下側の固定位置１５ｂの間でＺ字状に張られることになるので、その長さは図示した状態よりも長くなる。然しながら、垂直保持用第１ワイヤ１５は非伸縮性であり、また既に張り詰めた状態で張架されていてそれ以上伸びることができないため、スライドポール１１は上記の方向へ傾くことがきない。
他方、スライドポール１１が上記とは逆方向へ傾こうとした場合には、同様に張り詰めた状態で張架されたもう一方の非伸縮性の垂直保持用第１ワイヤ１６が上記と同様の理由でこれを阻止するため、結局、スライドポール１１はどちらの側へも傾くことができず、垂直状態が維持されることになる。
【００１５】
図示した実施例において、牽引ワイヤ１７は、１本のワイヤの両端がスライドポール１１の下端のガイド部材１３に固定されてループ状をなし、窓の下枠２３の両端近くに設けたプーリ１８ｃ及び１８ｄに巻き掛けられると共に、下枠２３の室内側に設けたハンドル１８ａにより回転せしめられるプーリ１８ｂに１〜２周程度巻き掛けられている。
そのため、図示した例においてハンドル１８ａを時計方向に回すとスライドポール１１が左方向へ移動し、反時計方向に回すと右方向へ移動するようになっている。
なお、牽引ワイヤ１７を引き動かすために、手動のハンドル１８ａを用いる代わりに、小型のモータと減速歯車を用いてプーリ１８ｃ又は１８ｄを正逆回転させることにより牽引ワイヤ１７を引き動かすようにしてもよい。
また、状況に応じて、上側のガイド部材１２に牽引ワイヤを取り付けて、モータを用いてスライドポール１１を左右に動かすようにしてもよく、場合によっては、上下のガイド部材１２及び１３に牽引ワイヤを取り付けて動かすようにしてもよい。
また、プーリ１８ｂ〜１８ｄの代わりに、歯車状スプロケットを用いることも可能であり、その場合、牽引ワイヤとしてチェインや凹凸溝を形成したタイミングベルトを用いて駆動するようにする。
【００１６】
スライドポール１１がガラス２１と対向する面には、その略全長にわたって延びるようにワイパーブレード１４が取り付けられ、上記の如くスライドポール１１を垂直状態を保ちつつ窓の上枠及び下枠に沿って左右に移動させると、ワイパーブレード１４がガラス２１の室外側表面を払拭、清掃するようになっている。
【００１７】
より具体的には、図２及び図３に示す如く、ワイパーブレード１４は、ワイパーホルダ１４ａの先端に取り付けられている。ワイパーホルダ１４ａは、中空のスライドポール１１内でガラス２１へ向けて進出、後退し得るよう変位可能に保持されており、その後端を押出しスプリング１４ｂによってガラス２１へ向けて押し出されるように付勢されている。
これにより、ガラス２１に或る程度の歪みがあったり、スライドポール１１がガラス面から離れる方向へ幾分変位したような場合においても、ワイパーブレード１４とガラス表面の接触が保たれ、十全な洗浄が行われるようになっている。
【００１８】
図１及び図２に示すように、窓の上枠２２には、ガラス表面へ水若しくは適宜の洗剤を混合した水等の洗浄水を供給するための散水パイプ２２ａを設けることが推奨される。
散水パイプ２２ａへ水を供給するには、例えば図１中の左側に示すように、散水パイプ２２ａへ通じる管路上に設けた手動弁３１に水道管３２を接続し、窓ガラスの清掃時に手動弁３１を開いて散水パイプ２２ａに水道水を供給するようにしてもよい。そうすることにより、特別のポンプ等を必要とすることなく水道圧で散水を行い得るという利点がある。
窓の近くまで水道管の配管工事が困難な環境下においては、例えば図１中の右側に示すように、窓の縦枠２５に、手動又は電動ポンプに接続される給水口２５ａを設け、ここを通じて散水パイプ２２ａへ水もしくは洗剤を混合した水等の洗浄液を送るようにしてもよい。
【００１９】
次に、図４を参照して、本発明のもう一つの実施例について説明する。
図１〜図３に示した実施例においては、スライドポールを窓枠内で左右方向に移動させて窓ガラスの外面の清掃を行うように構成されていたが、図４に示した実施例においては、スライドポールを窓枠内で上下方向に移動させて窓ガラスの清掃を行うように構成されている。
図４中、１１０は窓ガラスの外側で上下方向に移動可能なスライドポール、１２０及び１３０は、スライドポール１１０の左端及び右端に取り付けられたガイド部材、１４０はワイパーブレード、１５０及び１６０はスライドポールの水平保持用第１及び第２ワイヤ、１７０はスライドポールを上下に引き動かす牽引ワイヤ、１８０ａはハンドル、１８０ｂ〜１８０ｄは牽引ワイヤ１７０が巻き掛けられたプーリ、２１０は清掃すべき嵌め殺し窓のガラス、２２０は嵌め殺し窓の上枠、２２０ａは上枠２２０に設けられた散水パイプ、２３０は下枠、２４０及び２５０は縦枠、２５０ａは手動又は電動ポンプに接続される給水口、３１０は手動弁、３２０は水道管である。
【００２０】
図示する如く、スライドポール１１０は、ガラス２１０の横幅と略等しい長さを有し、その左端及び右端にはガイド部材１２０，１３０がそれぞれ設けられ、ガイド部材１２０は窓の左縦枠２４０に沿って上下に摺動可能なように保持され、ガイド部材１３０は右縦枠２５０に沿って上下に摺動可能なように保持されている。
【００２１】
この実施例においては、水平保持用第１ワイヤ１５０及び第２ワイヤ１６０を用いて、スライドポール１１０が水平状態を保ちつつ上下に円滑に移動し得るよう構成されている。
即ち、非伸縮性の水平保持用第１ワイヤ１５０は、室内側から見て窓の左縦枠２４０の下端近くの固定位置１５０ａからスライドポール１１０の位置まで左縦枠２４０内を左縦枠に沿って延び、スライドポール１１０の左端のガイド部材１２０に取り付けたプーリ（図では省略）に巻き掛けられて右へ向けて９０度方向転換してスライドポール内を通過し、更に、スライドポール１１０の右端のガイド部材１３０に取り付けたプーリ（図では省略）に巻き掛けられて上方向へ向けて９０度方向転換して右縦枠２５０の上端近くの固定位置１５０ｂまで右縦枠２５０内を右縦枠に沿って延びるよう、緩みなく張り詰めた状態で張架されている。
同様に、非伸縮性の水平保持用第２ワイヤ１６０は、窓の左縦枠２４０の上端近くの固定位置１６０ａからスライドポール１１０の位置まで左縦枠２４０内を左縦枠に沿って延び、スライドポール１１０の左端のガイド部材１２０に取り付けたもう一つのプーリ（図では省略）に巻き掛けられて右へ向けて９０度方向転換してスライドポール内を通過し、更に、スライドポール１１０の右端のガイド部材１３０に取り付けたもう一つのプーリ（図では省略）に巻き掛けられて下方向へ向けて９０度方向転換して右縦枠２５０の下端近くの固定位置１６０ｂまで右縦枠２５０内を右縦枠に沿って延びるよう、緩みなく張り詰めた状態で張架されている。
【００２２】
そこで例えば、図４中において、スライドポール１１０の左端が上側へ向けて傾くと仮定すると、スライドポール１１０内の水平保持用第１ワイヤ１５０もスライドポールと共に傾くことになり、第１ワイヤ１５０は左下側の固定位置１５０ａと右上側の固定位置１５０ｂの間でＮ字状に張られることになるので、その長さは図示した状態よりも長くなる。然しながら、水平保持用第１ワイヤ１５０は非伸縮性であり、また既に張り詰めた状態で張架されていてそれ以上伸びることができないため、スライドポール１１０は上記の方向へ傾くことがきない。
他方、スライドポール１１０が上記とは逆方向へ傾こうとした場合には、同様に張り詰めた状態で張架されたもう一方の非伸縮性の水平保持用第１ワイヤ１６０が上記と同様の理由でこれを阻止するため、結局、スライドポール１１０はどちらの側へも傾くことができず、水平状態が維持されることになる。
【００２３】
図示した実施例において、牽引ワイヤ１７０は、１本のワイヤの両端がスライドポール１１０の右端のガイド部材１３０に固定されてループ状をなし、窓の右縦枠２５０の上下端近くに設けたプーリ１８０ｃ及び１８０ｄに巻き掛けられると共に、右縦枠２５０の室内側に設けたハンドル１８０ａにより回転せしめられるプーリ１８０ｂに１〜２周程度巻き掛けられている。
そのため、図示した例においてハンドル１８０ａを時計方向に回すとスライドポール１１０が下方向へ移動し、反時計方向に回すと上方向へ移動するようになっている。
なお、牽引ワイヤ１７０を引き動かすために、手動のハンドル１８０ａを用いる代わりに、小型のモータ等を用いたり、プーリ１８０ｂ〜１８０ｄの代わりに、歯車状スプロケットを用い得ることは、前記実施例の場合と同様である。
【００２４】
スライドポール１１０がガラス２１０と対向する面には、その略全長にわたって延びるようにワイパーブレード１４０が取り付けられ、上記の如くスライドポール１１０を水平状態を保ちつつ窓の左右の縦枠に沿って上下に移動させると、ワイパーブレード１４０がガラス２１０の室外側表面を払拭、清掃するようになっている。
それらの具体的構成は、図１〜図３に示した実施例におけるものとほぼ同様の構成を採用できるので、その説明は省略する。
また、散水パイプ２２０ａ及びこれへの給水方式も前記実施例のものと同様であるので、その説明は省略する。
【００２５】
なお、本発明は上記の実施例に限定されるものではなく、その目的の範囲内において、上記の説明から当業者が容易に想到し得るすべての変更実施例を包摂するものである。
【産業上の利用可能性】
【００２６】
本発明は上記の如く構成されるから、本発明によるときは、嵌め殺し窓のガラスの清掃が必要なときには、上記ハンドル等を回して、ガラスの外面に沿ってスライドポールを移動させるだけで、ポールに取り付けられたワイパーブレードがガラスの表面を全面的に払拭し、清掃が行われるものであるから、簡単な操作で効率よく清掃作業が行われ、専門業者に清掃を依頼する必要性が解消するものであり、また、簡便な構造で、大型の装置を必要としないため、不使用時にはスライドポールをガラスの片側に寄せておくことにより窓の外観を損なうことがなく、価格的にも安くで提供できるため、各窓ごとに設けることが可能となるものであるから、本発明は産業上多大の利用可能性を有するものである。
【図面の簡単な説明】
【００２７】
【図１】本発明に係るワイヤ駆動式嵌め殺し窓清掃装置の一実施例を室内側から見た状態で示す正面図とその上面図である。
【図２】図１中のII−II線に沿った中間省略縦断面図である。
【図３】図１中のIII −III 線に沿った横断面図である。
【図４】本発明に係るワイヤ駆動式嵌め殺し窓清掃装置のもう一つの実施例を室内側から見た状態で示す正面図とその右側面図である。
【符号の説明】
【００２８】
１１    スライドポール
１２，１３  ガイド部材
１４    ワイパーブレード
１４ａ  ワイパーホルダ
１４ｂ  押出しスプリング
１５    垂直保持用第１ワイヤ
１５ａ，１５ｂ  固定位置
１６    垂直保持用第２ワイヤ
１６ａ，１６ｂ  固定位置
１７    牽引ワイヤ
１８ａ  ハンドル
１８ｂ〜１８ｄ  プーリ
２１    ガラス
２２    上枠
２２ａ  散水パイプ
２３    下枠
２４，２５  縦枠
２５ａ  ポンプからの給水口
３１    手動弁
３２    水道管
１１０    スライドポール
１２０，１３０  ガイド部材
１４０    ワイパーブレード
１５０    水平保持用第１ワイヤ
１５０ａ，１５０ｂ  固定位置
１６０    水平保持用第２ワイヤ
１６０ａ，１６０ｂ  固定位置
１７０    牽引ワイヤ
１８０ａ  ハンドル
１８０ｂ〜１８０ｄ  プーリ
２１０    ガラス
２２０    上枠
２２０ａ  散水パイプ
２３０    下枠
２４０，２５０  縦枠
２５０ａ  ポンプからの給水口
３１０    手動弁
３２０    水道管
【図１】
2006102331.tif 000003
【図２】
2006102331.tif 000004
【図３】
2006102331.tif 000005
【図４】
2006102331.tif 000006